(57)【要約】【課題】クラウンを設けることなく、平ベルトの走行を安定させることができ、しかもプーリの近傍であっても平ベルト上の被搬送物に対する印刷等の作業を行うことを可能ならしめる。【解決手段】平ベルト駆動用プーリ３０は、母線が回転中心軸に平行である円筒状外周面３１と、外周面３１の母線の中央部分に、外周面の全周にわたって設けられ、中央部分以外の部分よりも突出し、かつその突出量が一定である微小突起３２とを備える。微小突起３２すなわち大径部の母線に沿った長さは外周面３１に掛け回される平ベルト２０の幅よりも小さい。走行中の平ベルト２０が駆動用プーリ３０の縁部のほうにずれようとすると、微小突起３２の側へ平ベルト２０を戻そうとする力が生じ、平ベルト２０は常に駆動用プーリ３０の中央部付近に維持される。【選択図】図３
2008286355.tif 000002
【特許請求の範囲】
【請求項１】
母線が回転中心軸に平行である円筒状外周面と、
前記外周面の母線の中央部分に、前記外周面の全周にわたって設けられ、前記中央部分以外の部分よりも突出し、かつその突出量が一定である大径部とを備え、
前記大径部の前記母線に沿った長さが前記外周面に掛け回される平ベルトの幅よりも小さいことを特徴とする平ベルト用プーリ。
【請求項２】
前記大径部が多数の突起によって形成されることを特徴とする請求項１に記載の平ベルト用プーリ。
【請求項３】
前記突起の前記平ベルトの走行方向側部分の前記外周面に対する角度が９０°以下であることを特徴とする請求項２に記載の平ベルト用プーリ。
【請求項４】
前記多数の突起のうち約半分の第１の突起と残りの半分の第２の突起は、前記走行方向側部分が相互に反対であることを特徴とする請求項３に記載の平ベルト用プーリ。
【請求項５】
前記第１の突起が前記母線に沿って整列された第１の突起列を形成し、前記第２の突起が前記母線に沿って整列された第２の突起列を形成し、前記第１の突起列と第２の突起列が交互に並ぶことを特徴とする請求項４に記載の平ベルト用プーリ。
【請求項６】
前記突起の先端が丸みを帯びていることを特徴とする請求項２に記載の平ベルト用プーリ。
【請求項７】
剛体から成り、前記多数の突起が前記プーリの本体と一体的に形成されることを特徴とする請求項１に記載の平ベルト用プーリ。
【発明の詳細な説明】
【技術分野】
【０００１】
本発明は、搬送用あるいは動力伝動用の無端状平ベルトが掛け回されるプーリに関する。
【背景技術】
【０００２】
従来、無端状平ベルトを複数のプーリに掛け回して構成される装置において、プーリの外表面の径を中央部ほど大きくなるように、すなわちクラウンをプーリに設けることによって、平ベルトの走行性能が安定することが知られている。すなわち、走行中の平ベルトがプーリの縁部のほうにずれようとすると、径の大きな中央側へ平ベルトを戻そうとする力が発生し、平ベルトは常にプーリの中央部付近に維持される。
【発明の開示】
【発明が解決しようとする課題】
【０００３】
上述したクラウンは、プーリの外表面を円弧状に成形して得られるものであり、その成形は容易ではなく、また平ベルトがプーリに掛け回された部分では、クラウンの曲面形状が平ベルトに表れるため、平ベルトに載置された被搬送物に対する印刷等の作業が行えないという問題があった。
【０００４】
本発明は、クラウンを設けることなく、平ベルトの走行を安定させることができ、しかもプーリの近傍であっても平ベルト上の被搬送物に対する印刷等の作業を行うことを可能ならしめる平ベルト用プーリを提供することを目的としている。
【課題を解決するための手段】
【０００５】
本発明に係る平ベルト用プーリは、母線が回転中心軸に平行である円筒状外周面と、外周面の母線の中央部分に、外周面の全周にわたって設けられ、中央部分以外の部分よりも突出し、かつその突出量が一定である大径部とを備え、大径部の母線に沿った長さが外周面に掛け回される平ベルトの幅よりも小さいことを特徴としている。
【０００６】
大径部は多数の突起によって形成されることが好ましい。これによれば、平ベルトあるいは平ベルト用プーリの表面への水や油の付着等の環境要因によってスリップが発生するおそれが防止される。
【０００７】
突起の平ベルトの走行方向側部分の外周面に対する角度が９０°以下であることが好ましい。これによれば、平ベルト用プーリは十分に大きな駆動力を発揮することができ、かつ安定した高負荷伝動を長期にわたって維持することが可能になる。
【０００８】
多数の突起のうち約半分の第１の突起と残りの半分の第２の突起は、走行方向側部分が相互に反対であることが好ましい。これにより、平ベルトの駆動方向に応じてプーリを選択する必要がなくなる。また、このような構成において、好ましくは、第１の突起が外周面の母線に沿って整列された第１の突起列を形成し、第２の突起が外周面の母線に沿って整列された第２の突起列を形成し、第１の突起列と第２の突起列が交互に並ぶ。
【０００９】
突起の先端は丸みを帯びていることが好ましい。この構成によれば、平ベルトの表面における摩耗を極力減らすことができる。
【００１０】
また平ベルト用プーリは剛体から成り、多数の突起がプーリの本体表面に一体的に形成されることが好ましい。これによれば、プーリの耐久性が向上するだけでなく、成形が簡単になる。
【発明の効果】
【００１１】
本発明によれば、クラウンを設けることなく、平ベルトの走行を安定させることができ、しかもプーリの近傍であっても平ベルト上の被搬送物に対する印刷等の作業を行うことができる平ベルト用プーリが得られる。
【発明を実施するための最良の形態】
【００１２】
以下、本発明の一実施形態を、図面を参照して説明する。
図１は本発明の一実施形態を用いた平ベルト搬送装置の構成を概略的に示す斜視図である。この平ベルト搬送装置は、例えば菓子類のような小さい物を搬送するために用いられる。
【００１３】
平ベルト搬送装置は無端状の平ベルト２０を、一対のナイフエッジ状のベルト支持部１１、１２と外側ガイドローラ１３、１４と内側ガイドローラ１５、１６と駆動用プーリ３０とに掛け回して構成される。駆動用プーリ３０は図示しない駆動モータ（駆動源）に連結される。ベルト支持部１１、１２は、テーパ状の先端部１１ａ、１２ａが相互に反対方向を向くようにして配置され、ベルト支持部１１、１２の上面はほぼ同じ高さ位置に定められる。各先端部１１ａ、１２ａは他の平ベルト搬送装置（図示せず）のベルト支持部に近接して対向しており、隣接する平ベルト搬送装置の平ベルトとの間の隙間は被搬送物に比べて十分に小さい。
【００１４】
内周面ガイドローラ１３、１４はベルト支持部１１、１２の基部の真下に設けられ、ほぼ同じ高さ位置に配置される。外周面ガイドローラ１５、１６は内周面ガイドローラ１３、１４よりも内側であって、内周面ガイドローラ１３、１４よりもガイドローラ１３、１４の直径分だけ下側に設けられる。駆動用プーリ３０は外周面ガイドローラ１５、１６の間であって、これらの下側に設けられる。平ベルト２０は、ベルト支持部１１、１２の先端部１１ａ、１２ａおよび内周面ガイドローラ１３、１４の外側と外周面ガイドローラ１５、１６の内側と駆動用プーリ３０の外側を通る。外周面ガイドローラ１５、１６を配設することにより、平ベルト２０の駆動用プーリ３０に対する巻付け角は約１８０°に定められる。
【００１５】
平ベルト２０は従来公知の構成を有し、図２に示すように、例えば２層構造を有する。上側層２１は例えばポリウレタン樹脂から成り、平ベルト２０の外側面、すなわち搬送面である。下側層２２は、例えばポリエステルから成る編布であり、ベルト支持部１１、１２と内周面ガイドローラ１３、１４と駆動用プーリ３０に係合する。
【００１６】
駆動用プーリ３０の外周面３１は、母線が回転中心軸に平行である円筒状を有し、駆動用プーリ３０は、平ベルト２０が掛け回される円筒状外周面の全周にわたって多数の微小突起３２が形成される。図３は、微小突起３２を誇張して示す駆動用プーリ３０の断面図である。この図に示されるように、微小突起３２は外周面３１の母線に沿って並んで設けられる。微小突起３２は母線の中央部分に設けられ、中央部分以外の部分よりも突出し、かつその突出量ｄが一定である大径部を構成する。この大径部の母線に沿った長さＬは、平ベルト２０の幅ｂよりも小さい。
【００１７】
図４は駆動用プーリ３０の外周面３１を平面状に展開して示す図である。図５は微小突起３２を示す側面図である。これらの図は、微小突起３２の構成を理解しやすくするために、個々の微小突起３２を拡大しており、またその数を大幅に減らして示している。なお、矢印Ｆは駆動用プーリ３０の正転方向を示し、矢印Ｒは逆転方向を示す。
【００１８】
微小突起３２は、約半分の第１の突起３２ａと残りの約半分の第２の突起３２ｂに分類される。第１の微小突起３２ａは外周面３１の母線に沿って整列された第１の突起列Ａを形成し、第２の微小突起３２ｂは母線に沿って整列された第２の突起列Ｂを形成する。第１の突起列Ａと第２の突起列Ｂは駆動用プーリ３０の回転方向Ｆ、Ｒに沿って交互に並んでいる。
【００１９】
第１の突起３２ａは駆動用プーリ３０が正転するときに平ベルトに対する駆動力を発揮するものであり、正転駆動時における平ベルトの走行方向側部分の外周面３１に対する角度θ１は９０°以下である。これに対して、第２の突起３２ｂは駆動用プーリ３０が逆転するときに平ベルトに対する駆動力を発揮するものであり、逆転駆動時における平ベルトの走行方向側部分の外周面３１に対する角度θ２は９０°以下である。
【００２０】
駆動用プーリ３０は例えば金属等の剛体から成り、多数の微小突起３２はプーリ３０の本体と一体的に形成される。すなわち駆動用プーリ３０は、その表面に微小突起３２が成形された一体成形品である。また、各微小突起３２は例えば角錐体状を呈するが、先端が駆動用プーリ３０の回転方向に傾斜していればよく、基部は如何なる形状を有していてもよい。
【００２１】
以上のように本実施形態では、駆動用プーリ３０の外周面の母線の中央部分に、中央部分の外側に位置する両側部分よりも突出した微小突起３２から成る大径部が形成されている。したがって、走行中の平ベルト２０が駆動用プーリ３０の縁部のほうにずれようとすると、クラウンを設けた場合と同様に、大径部（微小突起３２）の側へ平ベルトを戻そうとする力が生じ、平ベルトは常に駆動用プーリ３０の中央部付近に維持される。そして、大径部が多数の微小突起３２によって形成されることにより、平ベルト２０あるいは駆動用プーリ３２の表面への水や油の付着等の環境要因によってスリップが発生するおそれが防止される。
【００２２】
また本実施形態では、微小突起３２の高さ、すなわちプーリ外周面における突出量は一定であるので、微小突起３２に掛け回された平ベルト２０の表面は実質的に平らである。したがって、この部分における平ベルト２０において、例えば、被搬送物に対する印刷等の作業を行うことができる。
【００２３】
駆動用プーリ３０の外周面の全周にわたって設けられた多数の微小突起３２は、その先端が回転方向を向くように傾斜している。したがって、駆動用プーリ３０は平ベルト２０に対して十分な駆動力を与えることができ、平ベルト２０は十分に大きな搬送能力を発揮することが可能になるとともに、安定した高負荷伝動を長期にわたって維持することが可能になる。
【００２４】
さらに本実施形態では、駆動用プーリ３０の正転方向に傾斜する第１の微小突起３２ａと逆転方向に傾斜する第２の微小突起３２ｂが設けられているので、駆動用プーリ３０は正逆回転のいずれにも用いることができる。すなわち平ベルト搬送装置において、その搬送方向を切り替える場合であっても駆動用プーリ３０は上述したような駆動力を発揮することができる。また、平ベルトの駆動方向が異なる搬送装置に対して共通の駆動用プーリ３０を用いることができ、製造コストを抑えることができる。
【００２５】
また本実施形態では、駆動用プーリ３０が剛体から成り、微小突起３２が一体的に成形されているので、プーリの耐久性が向上し、また微小突起付の駆動用プーリ３０が容易に成形される。
【００２６】
図６は微小突起３２の変形例を示している。この例では、微小突起３２の先端は丸みを帯びている。これによれば、図５に示すように先端が尖った微小突起を設けた場合に比較して、平ベルト２０の表面における摩耗を極力減らすことができる。
【００２７】
なお、上記実施形態では、走行方向側部分が相互に反対方向である第１および第２の突起３２ａ、３２ｂが設けられているが、第１の突起３２ａのみを設けるようにしてもよい。
【００２８】
また上記実施形態では駆動用プーリ３０の全周にわたって微小突起３２が設けられているが、平ベルト２０が接触している部分に突起３２が存在すればよく、全周にわたって均一に設けられることは必須ではない。例えば、２列の第１の突起列Ａが外周面３１において反対側に設けられるようにしてもよい。
【００２９】
さらに上記実施形態は本発明を搬送装置に適用した例であるので、微小突起３２は駆動用プーリ３０のみに設けられているが、平ベルトが動力伝動用である場合には、微小突起３２は駆動用プーリと従動プーリの両方に設けられる。
【図面の簡単な説明】
【００３０】
【図１】本発明の一実施形態を用いた平ベルト搬送装置の構成を概略的に示す斜視図である。
【図２】平ベルトを破断して示す断面図である。
【図３】微小突起を誇張して示す駆動用プーリの断面図である。
【図４】駆動用プーリの外周面を平面状に展開して示す図である。
【図５】微小突起を示す側面図である。
【図６】微小突起の変形例を示す側面図である。
【符号の説明】
【００３１】
２０  平ベルト
３０  駆動用プーリ
３１  外周面
３２  突起
【図１】
2008286355.tif 000003
【図２】
2008286355.tif 000004
【図３】
2008286355.tif 000005
【図４】
2008286355.tif 000006
【図５】
2008286355.tif 000007
【図６】
2008286355.tif 000008